(57)【要約】【課題】  原稿カバーが勢い良く原稿載置台に対して倒れる事態を防止し、原稿カバーを原稿載置台に対して閉じる動作をユーザが行い易くする。【解決手段】  原稿カバー１１０の下面部１１０ａに、カバー側緩衝部６００を設ける。。本体部２００における原稿載置台１２０から外れた位置であって、カバー側緩衝部６００と対向するそれぞれの位置には、カバー側緩衝部６００の磁力に反発する磁力を有する本体側緩衝部７００を設ける。カバー側緩衝部６００と本体側緩衝部７００とは同極の磁力を有するように設定されている。これにより、原稿カバー１１０が原稿載置台１２０に対して閉じられ、カバー側緩衝部６００と本体側緩衝部７００とが、互いの磁力が反発し合う範囲内まで接近すると、この磁力反発によって、原稿カバー１１０が本体部２００の上部から跳ね返され、原稿カバー１１０が原稿載置台１２０に対して勢い良く接触しない。【選択図】      図１
2005300660.tif 000002
【特許請求の範囲】
【請求項１】
原稿載置台が設けられた本体部と、この本体部に軸支され、原稿載置台に対して接離方向に回動する原稿カバーとを備える画像読取装置であって、
前記原稿カバーの前記原稿載置台に対向する位置に設けられたカバー側緩衝部と、
前記本体部において前記カバー側緩衝部との対向位置に設けられ、前記カバー側緩衝部の磁力に反発する磁力を有する本体側緩衝部と、
を備えた画像読取装置。
【請求項２】
前記本体側緩衝部を、前記カバー側緩衝部と磁力が反発しない位置に移動させる移動部と、
前記原稿カバーが前記原稿載置台に対して閉じられた状態を検出する原稿カバー検出部と、
前記原稿カバー検出部によって、前記原稿カバーが閉じられた状態が検出された時点からの時間経過を計測するタイマ部と、
前記タイマ部によって所定時間の経過が計測された時に、前記移動部に、前記本体側緩衝部を前記カバー側緩衝部と磁力が反発しない位置まで移動させる制御部と
を備えた請求項１に記載の画像読取装置。
【請求項３】
前記制御部は、前記移動部によって前記本体側緩衝部が前記カバー側緩衝部と磁力が反発しない位置に移動した状態とされているときに、前記原稿カバー検出部によって前記原稿カバーが検出されなくなると、前記移動部に、前記本体側緩衝部を前記カバー側緩衝部と磁力が反発する位置まで移動させる請求項２に記載の画像読取装置。
【請求項４】
前記制御部は、ユーザから指示された原稿読取動作が終了した時に、前記移動部に、前記本体側緩衝部を前記カバー側緩衝部と磁力が反発しない位置から反発する位置に移動させる請求項２に記載の画像読取装置。
【請求項５】
前記原稿カバー又は本体部の少なくともいずか一方に設けられ、前記原稿カバーの回動動作時に前記原稿カバーと前記原稿載置台との間に介在して、前記原稿カバーの前記原稿載置台方向への回動動作を抑制する弾性部材を備えた請求項１乃至請求項４のいずれかに記載の画像読取装置。
【発明の詳細な説明】
【技術分野】
【０００１】
本発明は、原稿載置台が設けられた本体部と、この本体部に軸支され、原稿載置台に対して接離方向に回動する原稿カバーとを備える画像読取装置に関するものである。
【背景技術】
【０００２】
従来、特許文献１に示されるように、原稿を読み取るための原稿載置台に対して、その接離方向に回動する原稿カバーを備えたコピー機等の画像読取装置が知られている。この画像読取装置は、原稿圧板２と複写機本体上面との間にバネ３を設けることによって、原稿圧板２が、勢いを付けて複写機本体１及び原稿台ガラス４側に倒れないようにしている。
【特許文献１】特開平１１−２８８０４６号公報
【発明の開示】
【発明が解決しようとする課題】
【０００３】
しかし、上記のように、バネを原稿圧板と複写機本体上面との間に設けることによって、原稿圧板が複写機本体上部に向かう動作を抑制する構成では、ユーザが原稿圧板を原稿ガラス面に向けて力を入れて回動させなければ、原稿圧板を原稿ガラス面に対して閉じられないので、ユーザが力を入れるあまり、原稿圧板が原稿ガラス面に勢いよく接触してしまう虞は依然として残る。
【０００４】
本発明は、上記の問題を解決するためになされたもので、原稿カバーが勢い良く原稿載置台に対して倒れる事態を防止することができ、しかも、原稿カバーを原稿載置台に対して閉じる動作をユーザが行い易い画像読取装置を提供することを目的とするものである。
【課題を解決するための手段】
【０００５】
本発明の請求項１に記載の発明は、原稿載置台が設けられた本体部と、この本体部に軸支され、原稿載置台に対して接離方向に回動する原稿カバーとを備える画像読取装置であって、
前記原稿カバーの前記原稿載置台に対向する位置に設けられたカバー側緩衝部と、
前記本体部において前記カバー側緩衝部との対向位置に設けられ、前記カバー側緩衝部の磁力に反発する磁力を有する本体側緩衝部と、
を備えたものである。
【０００６】
この構成では、ユーザが、カバー側緩衝部の磁力と本体側緩衝部の磁力とが反発する位置まで、原稿カバーを原稿載置台側に回動させた時点で、原稿カバーが原稿載置台側に向かう力を抑制するようにしている。
【０００７】
また、請求項２に記載の発明は、請求項１に記載の画像読取装置であって、前記本体側緩衝部を、前記カバー側緩衝部と磁力が反発しない位置に移動させる移動部と、
前記原稿カバーが前記原稿載置台に対して閉じられた状態を検出する原稿カバー検出部と、
前記原稿カバー検出部によって、前記原稿カバーが閉じられた状態が検出された時点からの時間経過を計測するタイマ部と、
前記タイマ部によって所定時間の経過が計測された時に、前記移動部に、前記本体側緩衝部を前記カバー側緩衝部と磁力が反発しない位置まで移動させる制御部と
を備えたものである。
【０００８】
この構成は、原稿カバー検出部によって、原稿カバーが閉じられた状態が検出されると、タイマ部が時間計測を開始し、タイマ部によって所定時間の経過が計測された時に、制御部が、移動部に、本体側緩衝部をカバー側緩衝部と磁力が反発しない位置まで移動させるようにしている。
【０００９】
また、請求項３に記載の発明は、請求項２に記載の画像読取装置であって、前記制御部は、前記移動部によって前記本体側緩衝部が前記カバー側緩衝部と磁力が反発しない位置に移動した状態とされているときに、前記原稿カバー検出部によって前記原稿カバーが検出されなくなると、前記移動部に、前記本体側緩衝部を前記カバー側緩衝部と磁力が反発する位置まで前記本体側緩衝部を移動させるものである。
【００１０】
この構成では、本体側緩衝部が、カバー側緩衝部と磁力が反発しない位置にあるときに、ユーザが原稿カバーを原稿載置台から離れる方向に回動させ（原稿載置台から原稿カバーを開け）、原稿カバー検出部が原稿カバーを検出しなくなると、制御部が、移動部に、本体側緩衝部をカバー側緩衝部と磁力が反発する位置まで移動させるようにしている。
【００１１】
また、請求項４に記載の発明は、請求項２に記載の画像読取装置であって、前記制御部は、ユーザから指示された原稿読取動作が終了した時に、前記移動部に、前記本体側緩衝部を前記カバー側緩衝部と磁力が反発しない位置から反発する位置に移動させるものである。
【００１２】
この構成では、原稿読取動作が終了すると、制御部が、移動部に、本体側緩衝部をカバー側緩衝部と磁力が反発しない位置から反発する位置に移動させるので、原稿カバーで原稿載置台上の原稿を覆う必要がなくなった時点で、本体側緩衝部とカバー側緩衝部の磁力反発を利用して、原稿カバーを原稿載置台から離れる方向に回動するように付勢することができる。
【００１３】
また、請求項５に記載の発明は、請求項１乃至請求項４のいずれかに記載の画像読取装置であって、前記原稿カバー又は本体部の少なくともいずか一方に設けられ、前記原稿カバーの回動動作時に前記原稿カバーと前記原稿載置台との間に介在して、前記原稿カバーの前記原稿載置台方向への回動動作を抑制する弾性部材を備えたものである。
【００１４】
この構成によれば、原稿カバー又は本体部の少なくともいずか一方に設けられた弾性部材によって、原稿カバーの原稿載置台方向への回動動作を抑制するので、例えば、原稿カバーが自動用紙送り機構等を備える重量の重いものであって、ユーザが原稿カバーを原稿載置台側に回動させるために大きな力を求められない場合は、原稿カバーを原稿載置台に対して閉じる動作をユーザが行い易いという効果を妨げることなく、カバー側緩衝部及び本体側緩衝部による反発力との相乗効果で、原稿カバーが勢い良く原稿載置台に倒れてしまう事態を確実に回避することができる。
【発明の効果】
【００１５】
請求項１に記載の発明によれば、ユーザは、カバー側緩衝部の磁力と本体側緩衝部の磁力とが反発する位置までは、楽に原稿カバーを原稿載置台側に回動させることができ、しかも、カバー側緩衝部の磁力と本体側緩衝部の磁力とが反発する位置まで原稿カバーが原稿載置台に近づくと、原稿カバーが原稿載置台側に向かう力が抑制されるので、原稿カバーが原稿載置台に勢い良く接触する事態を回避することができる。
【００１６】
請求項２に記載の発明によれば、原稿カバーが閉じられて所定時間経過してから、本体側緩衝部がカバー側緩衝部とは磁力の反発しない位置に移動するので、原稿カバーが原稿載置台に接触する時点では、原稿カバーの原稿載置台側への回動動作が抑制されるようにしつつ、原稿カバーが原稿載置台に対して閉じられた後は、原稿カバーが閉じた状態が維持されるようにすることができる。
【００１７】
請求項３に記載の発明によれば、ユーザが原稿カバーを原稿載置台から開けると、本体側緩衝部がカバー側緩衝部と磁力の反発する位置に移動するので、ユーザが再び原稿カバーを原稿台に対して閉じたときには、原稿カバーが原稿載置台側に向かう力を抑制して、原稿カバーが原稿載置台に勢い良く接触する事態を回避できる。
【００１８】
請求項４に記載の発明によれば、原稿カバーで原稿載置台上の原稿を覆う必要がなくなった時点で、本体側緩衝部とカバー側緩衝部の磁力反発を利用して、原稿カバーを原稿載置台から離れる方向に回動するように付勢することができるので、ユーザが、原稿カバーを原稿載置台から開けるために必要な力が少なくても足りるようにすることができる。
【００１９】
請求項５に記載の発明によれば、例えば、原稿カバーが自動用紙送り機構等を備える重量の重いものであって、ユーザが原稿カバーを原稿載置台側に回動させるために大きな力を求められない場合は、原稿カバーを原稿載置台に対して閉じる動作をユーザが行い易いという効果を妨げることなく、カバー側緩衝部及び本体側緩衝部による反発力との相乗効果で、原稿カバーが勢い良く原稿載置台に倒れてしまう事態を確実に回避することができる。
【発明を実施するための最良の形態】
【００２０】
以下、本発明に係る実施形態を図面に基づいて説明する。図１は、本発明に係る画像読取装置の一実施形態である複写機の外観斜視図である。図１に示すように複写機１は、本体部２００と、本体部２００の上部に配設された原稿読取部１００と、原稿読取部１００と、本体部２００の側面に配設された用紙後処理部３００と、原稿読取部１００の前面に配設された操作部４００とを備えている。
【００２１】
原稿読取部１００は、読取対象の原稿が載置される原稿載置台１２０と、原稿載置台１２０に対して、矢符Ａで示す方向に開閉自在に取り付けられた原稿カバー１１０とを備えている。原稿カバー１１０は、本体部２００に軸支され、原稿載置台１２０に対して接離方向に回動するように設けられている。この実施形態では、原稿カバー１１０に、オートドキュメントフィーダ（自動用紙送り機構）が設けられた例を示している。また、原稿カバー１１０が原稿載置台１２０に取り付けられている位置の近傍には、原稿カバー１１０が原稿載置台１２０に対して閉じられた状態となったことを検出する原稿カバー検出スイッチ（原稿カバー検出部）５００が配設されている。
【００２２】
操作部４００は、原稿読取動作を開始させるスタートキー及びテンキー等を備え、種々の操作指示の入力をユーザから受け付ける操作キー部４０１と、種々の操作画面を表示すると共に、ユーザが種々の操作指令を入力するためのタッチパネル機能を有する表示部４０２とを備えている。なお、本体部２００の下部には、記録紙が収納される３つの給紙カセット２０１が配設されている。
【００２３】
原稿カバー１１０の下面部１１０ａ、すなわち、原稿載置台１２０に対向する面には、カバー側緩衝部（例えば、永久磁石等からなる）６００が設けられている。カバー側緩衝部６００の個数は、特に限定されないが、本実施形態では、原稿カバー１１０の下面部１１０ａの縁部両端に各１個（計２個）設けられた場合を示している。
【００２４】
一方、本体部２００における原稿載置台１２０から外れた位置であって、上記カバー側緩衝部６００と対向するそれぞれの位置には、カバー側緩衝部６００の磁力に反発する磁力を有する本体側緩衝部（例えば、永久磁石等からなる）７００が設けられている。本実施形態では、カバー側緩衝部６００に対応して、本体側緩衝部７００が２個設けられた例を示している。
【００２５】
カバー側緩衝部６００と本体側緩衝部７００とは同極の磁力を有するように設定されている。これにより、原稿カバー１１０が原稿載置台１２０に対して閉じられ、カバー側緩衝部６００と本体側緩衝部７００とが、互いの磁力が反発し合う範囲内まで接近すると、この磁力反発によって、原稿カバー１１０が本体部２００の上部から跳ね返され（原稿カバー１１０が原稿載置台１２０から離れる方向に付勢され）、原稿カバー１１０が原稿載置台１２０に対して勢い良く接触しない（倒れてしまわない）ようになっている。
【００２６】
図２は、複写機１の本体部２００の上部を示す斜視図である。この図２では、原稿カバー１１０及び用紙後処理部３００の図示は省略する。本体部２００の上部に設けられた本体側緩衝部７００は、図２に実線で示された定位置から、２点鎖線で示す退避位置まで、本体部２００の上面部２０２の下方を移動可能となるように構成されている。
【００２７】
本体側緩衝部７００を上記退避位置まで移動させることによって、原稿カバー１１０が原稿載置台１２０に対して閉じられたときに、本体側緩衝部７００の磁力とカバー側緩衝部６００の磁力との反発を無くし、原稿載置台１２０と原稿カバー１１０との密着が可能となるように構成されている。
【００２８】
図３は複写機１の内部構成を示すブロック図である。複写機１は、装置各部の動作制御を司る制御部２０を備えている。操作部４００は、ユーザからの原稿複写指示等の操作指示が入力される。原稿読取部１００は、露光ランプ及びＣＣＤ（charge coupled device）スキャナ等を有して、原稿上の画像を読み取るものである。記録部３０は、帯電装置、露光装置、現像装置、転写装置等からなる電子写真方式の画像形成機構等、又はインクジェット方式の画像形成機構等からなるものであり、原稿読取部１００によって読み取られた画像を記録紙上に記録（印刷）するものである。
【００２９】
原稿カバー検出スイッチ５００は、上述したように、原稿カバー１１０が原稿載置台１２０に対して閉じられた状態となったことを検出するものである。原稿カバー検出スイッチ５００は、原稿カバー１１０が閉じられたことを検出すると、制御部２０に検出信号を送出する。タイマ部４０は、原稿カバー検出スイッチ５００によって、原稿カバー１１０が閉じられた状態が検出された時点から、時間計測を開始するものである。移動機構（移動部）５０は、本体側緩衝部７００のそれぞれを、図２で説明した定位置と退避位置との間で移動させるものである。移動機構５０は、例えば、ソレノイド等からなる。
【００３０】
また、制御部２０は、タイマ部４０によって所定時間の経過が計測された時に、移動機構５０に、本体側緩衝部７００を退避位置（すなわち、カバー側緩衝部６００に対向しない位置等の、カバー側緩衝部６００と磁力が反発しない位置。以下、同じ。）まで移動させる。さらに、制御部２０は、移動機構５０によって本体側緩衝部７００がカバー側緩衝部６００と磁力の反発しない位置に移動した状態とされているときに、原稿カバー検出スイッチ５００が、原稿カバー１１０が閉じた状態となっていることを検出しなくなると、移動機構５０に、定位置（すなわち、カバー側緩衝部６００に対向する位置であって、本体側緩衝部７００をカバー側緩衝部６００と磁力が反発する位置。以下、同じ。）まで移動させる。
【００３１】
次に、原稿カバー１１０の開閉に伴う本体側緩衝部７００の動作制御の第１実施形態について説明する。図４は、原稿カバー１１０の開閉に伴う本体側緩衝部７００の動作制御の第１実施形態を行う時の処理を示すフローチャート、図５（ａ）（ｂ）は原稿カバー１１０の状態と、本体側緩衝部７００及び移動機構５０の動作との関係を示した図、図６は、移動機構５０の他の例を示す図である。
【００３２】
ユーザが手動で、原稿カバー１１０を原稿載置台１２０側に向けて回動させ、原稿カバー１１０が閉じた状態となって、原稿カバー検出スイッチ５００がオンになると（Ｓ１でＹＥＳ）、タイマ部４０が時間計測を開始する（Ｓ２）。すなわち、図５（ａ）に示すように、原稿カバー１１０が原稿載置台１２０に対して閉じられ、原稿カバー検出スイッチ５００がオンになっても、本体側緩衝部７００は定位置に止まっており、カバー側緩衝部６００と磁力反発することで、原稿カバー１１０を原稿載置台１２０（本体部２００の上部）に勢いよく接触させない状態を保つようにしている。
【００３３】
なお、移動機構５０は、ソレノイド５１及びこのソレノイド５１の駆動装置（図略）からなる。ソレノイド５１は、内部に励磁用コイルを備えたフレーム５１１と、先端部を露出させた状態でフレーム５１１に包含される可動鉄芯５１２とを備えている。本体側緩衝部７００は、ソレノイド５１の可動鉄芯５１２の上部に取り付けられ、可動鉄芯５１２のフレーム５１１に対する平行移動に伴って平行移動するようになっている。これにより、本体側緩衝部７００は、本体部２００の上面部２０２に設けられた穴部の位置を定位置とし、この穴部から外れた位置を退避位置として移動するようにされている。
【００３４】
また、移動機構５０は、図６に示すように、図略の駆動源によって回転されるピニオン５２１と、ピニオン５２１に噛合するラック５２２とを備えるギヤ機構５２によって構成することも可能である。このように、移動機構５０は、本体側緩衝部７００を定位置と退避位置との間で移動させることが可能な機構であれば、種々の変形が可能である。
【００３５】
図４に戻り、上記タイマ部４０による時間計測で、所定時間（例えば、１秒間）の経過が計測されると（Ｓ３でＹＥＳ）、制御部２０は、移動機構５０を駆動して（Ｓ４）、図５（ｂ）に示すように、本体側緩衝部７００を退避位置に移動させる。
【００３６】
ユーザが再び原稿カバー１１０を開け、原稿カバー検出スイッチ５００がオフになると（Ｓ５でＹＥＳ）、制御部２０は、移動機構５０を駆動して（Ｓ６）、本体側緩衝部７００を退避位置から定位置に移動させる。これにより、次回、ユーザが原稿カバー１１０を原稿載置台１２０に対して閉じたときに、カバー側緩衝部６００と本体側緩衝部７００との磁力反発により、原稿カバー１１０が原稿載置台１２０に対して勢いよく接触しないようにする。
【００３７】
次に、原稿カバー１１０の開閉に伴う本体側緩衝部７００の動作制御の第２実施形態について説明する。図７は、原稿カバー１１０の開閉に伴う本体側緩衝部７００の動作制御の第２実施形態を行う時の処理を示すフローチャート、図８は原稿カバー１１０の状態と、本体側緩衝部７００及び移動機構５０の動作との関係を示した図である。なお、図４に示した第１実施形態と同様の処理は同符号を付して説明を省略する。
【００３８】
上記第１実施形態では、原稿カバー検出スイッチ５００が一旦オンになり、再びオフになった場合に、制御部２０が、移動機構５０を駆動して、本体側緩衝部７００を退避位置から定位置に戻すようにしているが、本第２実施形態では、図７に示すように、原稿カバー検出スイッチ５００がオンとなっていても（Ｓ５でＮＯ）、ユーザから入力された操作指示に基づく原稿読取部１００の原稿読取動作が終了した時点で（Ｓ１１でＹＥＳ）、制御部２０が、移動機構５０を駆動して、本体側緩衝部７００を退避位置から定位置に戻すようにする。
【００３９】
このようにして、原稿載置台１２０に対して閉じられた状態（図５（ａ）参照）となっている原稿カバー１１０を、本体側緩衝部７００とカバー側緩衝部６００との磁力反発を利用して、図８に示すように、上方、すなわち、原稿載置台１２０から離れる方向へ押し上げて回動させるようにする。これにより、原稿読取部１００による原稿読取動作に支障を与えることなく、ユーザが原稿カバー１１０を開ける際に必要な力を少なくすることができる。
【００４０】
なお、本発明は上記実施の形態の構成に限られず種々の変形が可能である。例えば、図１に示した複写機１は、本体側緩衝部７００とカバー側緩衝部６００との磁力反発のみを利用して、原稿カバー１１０が原稿載置台１２０に勢い良く接触しないようにしているが、図９に示すように、本体側緩衝部７００及びカバー側緩衝部６００に加えて、原稿カバー１１０と原稿載置台１２０（本体部２００の上部）との間にバネ９００を設け、このバネ９００によっても、原稿カバー１１０の回動動作時に、原稿カバー１１０の原稿載置台１２０方向への回動が抑制されるようにしてもよい。バネ９００は、原稿カバー１１０又は本体部２００の少なくともいずか一方に設けられる。これによれば、原稿カバー１１０に備えられたオートシートフィーダの重量が重くて、ユーザが原稿カバー１１０を原稿載置台１２０側に回動させるために力を入れることは不要であるものの、原稿カバー１１０が原稿載置台１２０側に勢いよく倒れてしまうことの方が心配な場合に、原稿カバー１１０を閉じる動作をユーザが行い易いという効果を妨げることなく、バネ９００による原稿カバー１１０に対する付勢力と、カバー側緩衝部６００及び本体側緩衝部７００による反発力との相乗効果で、原稿カバー１１０が勢い良く原稿載置台１２０に倒れてしまう事態を確実に回避することができる。
【００４１】
また、上記実施形態では、本体側緩衝部７００を定位置から退避位置に平行移動させるようにしているが、本体側緩衝部７００を本体部２００の上面部２０２に対して上下動可能に構成し、本体側緩衝部７００がカバー側緩衝部６００と磁力反発する位置と磁力反発しない位置とを移動するようにしてもよい。この場合、移動機構５０は、ソレノイド５１（図５）を縦に配置して可動鉄芯５１２を上下動可能に構成し、可動鉄芯５１２の上端部に本体側緩衝部７００を取り付ける等とすればよい。また、図６のギヤ機構５２を縦に配置して、ラック５２２を上下動させる構成とし、このラック５２２の上端部に本体側緩衝部７００を取り付ける等としてもよい。
【００４２】
また、本体側緩衝部７００の一方の面側に、カバー側緩衝部６００の磁力と反発する磁力を持たせ、他方の面側に、カバー側緩衝部６００の磁力と反発しない磁力を持たせるようにし、原稿カバー１１０の開閉状態やタイマ部４０の時間計測に応じて、この本体側緩衝部７００を回転させて反転させることで、本体側緩衝部７００を上記定位置から退避位置に平行移動させる場合と同様の作用を得るようにしてもよい。この場合、本体側緩衝部７００に、ステッピングモータ等の回転量を精度良く制御できる駆動機構を取り付け、本体部２００の上面部２０２に平行な回転軸でもって、本体側緩衝部７００が回転する構成等を採ればよい。制御部２０は、ユーザによって指示された原稿読取動作が終了した時に、この駆動機構に、本体側緩衝部７００がカバー側緩衝部６００と磁力反発するように反転させる等、図４や図７に示した制御を行うようにする。
【００４３】
また、カバー側緩衝部６００及び本体側緩衝部７００として、永久磁石以外を採用することも可能である。例えば、電磁石等であってもよい。この場合、本体側緩衝部７００の磁力の量を可変させることによって、原稿カバー１１０の開閉状態に応じて磁力を調整し、本体側緩衝部７００をカバー側緩衝部６００に磁力反発させるか否かを制御することが可能である。
【図面の簡単な説明】
【００４４】
【図１】本発明に係る画像読取装置の一実施形態である複写機の外観斜視図である。
【図２】図１の複写機の本体部の上部を示す斜視図である。
【図３】複写機の内部構成を示すブロック図である。
【図４】原稿カバーの開閉に伴う本体側緩衝部の動作制御の第１実施形態を行う時の処理を示すフローチャートである。
【図５】（ａ）（ｂ）は原稿カバーの状態と、本体側緩衝部及び移動機構の動作との関係を示した図である。
【図６】移動機構の他の例を示す図である。
【図７】原稿カバーの開閉に伴う本体側緩衝部の動作制御の第２実施形態を行う時の処理を示すフローチャートである。
【図８】原稿カバーの状態と、本体側緩衝部及び移動機構の動作との関係を示した図である。
【図９】原稿カバーと原稿載置台との間にバネが取り付けられた複写機の外観斜視図である。
【符号の説明】
【００４５】
１        複写機
２０      制御部
４０      タイマ部
５０      移動機構
５１      ソレノイド
５１１    フレーム
５１２    可動鉄芯
５２      ギヤ機構
５２１    ピニオン
５２２    ラック
７００    本体側緩衝部
１００    原稿読取部
１１０    原稿カバー
１１０ａ  下面部
１２０    原稿載置台
２００    本体部
２０１    給紙カセット
２０２    上面部
４００    操作部
４０１    操作キー部
４０２    表示部
５００    原稿カバー検出スイッチ
６００    カバー側緩衝部
７００    本体側緩衝部
９００    バネ
【図１】
2005300660.tif 000003
【図２】
2005300660.tif 000004
【図３】
2005300660.tif 000005
【図４】
2005300660.tif 000006
【図５】
2005300660.tif 000007
【図６】
2005300660.tif 000008
【図７】
2005300660.tif 000009
【図８】
2005300660.tif 000010
【図９】
2005300660.tif 000011